(57)【特許請求の範囲】
【請求項１】
ａ）前方面および後方面を有するパネル（１）；
ｂ）パネル（１）の前方面を覆う前方カバー（２）；および
ｃ）壁（５）に埋め込まれるように構成されたケース（４）
を有して成るファイバターミナルボックスであって、
ｄ）アダプタ（６）およびファイバ接続要素（７）は、パネル（１）の前方面に取り付けられ；
ｅ）パネル（１）は、ケース（４）に収容されるように構成され、かつケース（４）と一緒に壁（５）に埋め込まれ、
ｆ）パネル（１）には、光ケーブル差込穴（９）が設けられていて、そこを通って、光ケーブル（１５）の引込端部は、パネル（１）の後方面からパネル（１）の前方面に導かれ、ファイバ接続要素（７）の一方の端部に接続され、ならびに
ｇ）パネル（１）には、ファイバピッグテール穴（１６）が更に設けられていて、ファイバピッグテール（１７）の一方の端部は、アダプタ（６）の端子に接続され、ファイバピッグテール（１７）の他方の端部は、ファイバピッグテール穴（１６）を通ってパネル（１）の後方面からパネル（１）の前方面に導かれ、ファイバ接続要素（７）の他方の端部に接続されるファイバターミナルボックス。
【請求項２】
パネル（１）は、ネジ（１０）によってケース（４）に接続される、請求項１に記載のファイバターミナルボックス。
【請求項３】
ａ）パネル（１）には取付穴（１１）が設けられ、
ｂ）ケース（４）には突出取付ピラー（１２）が設けられ、かつ
ｃ）ネジ（１０）は、パネル（１）の取付穴（１１）を通って差し込まれ、ケース（４）の突出取付ピラー（１２）に取り付けられる、
請求項２に記載のファイバターミナルボックス。
【請求項４】
パネル（１）の後方面を覆うための後方カバー（３）を更に有して成る、請求項１に記載のファイバターミナルボックス。
【請求項５】
ａ）後方カバー（３）は、突出係合部分（１４）を有し、
ｂ）パネル（１）の後方面は、外側へ延在して突出部（１３）を形成し、その突出部（１３）は、突出係合部分（１４）に対応する凹型係合部分（２０）を形成するように構成され、および
ｃ）突出係合部分（１４）が、凹型係合部分（２０）と係合する場合、後方カバー（３）は、パネル（１）と係合するようになる、
請求項４に記載のファイバターミナルボックス。
【請求項６】
ファイバ接続要素（７）は：
ａ）ヒュージョンスプライサまたはメカニカルスプライサ（１８）；および
ｂ）ヒュージョンスプライサまたはメカニカルスプライサを固定するための取付具（１９）
を包む、請求項１に記載のファイバターミナルボックス。
【請求項７】
光ケーブル留め具（８）が、光ケーブル（１５）をパネル（１）の前方面に留めるように、パネル（１）の前方面に設けられている、請求項１に記載のファイバターミナルボックス。
【請求項８】
ファイバピッグテール（１７）は、パネル（１）の前方面に、１つまたはそれより多くの巻を形成するように曲げられる、請求項１に記載のファイバターミナルボックス。
【請求項９】
ファイバターミナルボックスが、壁（５）の中に取り付けられる場合、ファイバターミナルボックスの前方カバー（２）の外側面は、壁（５）の外側面と同一平面にある、あるいは壁（５）の外側面を超えて僅かに突出する、請求項１に記載のファイバターミナルボックス。
【請求項１０】
アダプタ（６）およびファイバピッグテール（１７）は双方とも、あらかじめパネル（１）に取り付けられている、請求項１に記載のファイバターミナルボックス。
【発明の詳細な説明】
【技術分野】
【０００１】
関連出願の相互参照
本出願は、中国知識産権局に２００８年１０月２８日に出願された中国特許出願第２００８１０２０２０６０．６号の利益を主張し、その開示は参照されることによって本明細書に組み込まれる。
【０００２】
発明の背景
発明の分野
本発明は、光ケーブルを住宅に分配するための利用者側のファイバターミナルボックスに関する。
【背景技術】
【０００３】
関連技術の説明
先行技術において、ファイバターミナルボックスは、壁の外側面にしばしば直接取り付けられ、壁の外側面から突出していることが知られている。その結果、美観の面から、ファイバターミナルボックスは、電源用パネルおよびネット用パネルのような住宅内の他のパネルと調和しない。更に、先行技術のファイバターミナルボックスは、ファイバを管理する能力が非常に乏しく、取り付けられるのが困難であり、かつ取り付けた後、それの再設置を行なうことはほとんど不可能である。
【発明の概要】
【発明が解決しようとする課題】
【０００４】
発明の概要
本発明は、上記の欠点の少なくとも１つの要旨を解消する、あるいは緩和するように作られた。
【０００５】
従って、本発明の１つの目的は、取り付け作業を容易に行なうことができ、かつファイバの管理が改善される、ファイバターミナルボックスを提供することである。
【課題を解決するための手段】
【０００６】
本発明の１つの要旨に基づいて、ファイバターミナルボックスは提供され、そのファイバターミナルボックスは：前方面および後方面を有するパネル；パネルの前方面を覆うための前方カバー；ならびに壁に埋め込まれるように構成されたケースを有して成り、アダプタおよびファイバ接続要素は、パネルの前方面に取り付けられ；パネルは、ケースに収容されるように構成されていて、ケースと一緒に壁に埋め込まれ；パネルには、光ケーブル差込穴が設けられていて、そこを通って、光ケーブルの引込端部は、パネルの後方面からパネルの前方面に導かれ、ファイバ接続要素の一方の端部に接続され；ならびにパネルには、ファイバピッグテール穴が更に設けられていて、ファイバピッグテールの一方の端部は、アダプタの端子に接続され、ファイバピッグテールの他方の端部は、ファイバピッグテール穴を通って、パネルの後方面からパネルの前方面に導かれ、ファイバ接続要素の他方の端部に接続される。
【０００７】
好ましくは、パネルはネジによってケースに接続される。より好ましくは、パネルには取付穴が設けられていて；ケースには、その中に突出取付ピラーが設けられていて；ならびにネジが、パネルの取付穴を通って差し込まれ、ケースの突出取付ピラーに取り付けられる。
【０００８】
より好ましくは、ファイバターミナルボックスは、パネルの後方面を覆うための後方カバーを更に有して成る。より好ましくは、後方カバーは、そこに突出係合部分を有し；パネルの後方面は、外側へ延在して突出部を形成し、その突出部は、突出係合部分に対応する凹型係合部分を形成するように構成され；ならびに突出係合部分が、凹型係合部分と係合する場合、後方カバーは、パネルと係合するようになる。
【０００９】
より好ましくは、ファイバ接続要素は：ヒュージョンスプライサ（fusion splicer）またはメカニカルスプライサ（mechanical splicer）；およびヒュージョンスプライサまたはメカニカルスプライサを固定するための取付具を包含する。
【００１０】
より好ましくは、光ケーブルをパネルの前方面に留めるように、光ケーブル留め具がパネルの前方面に提供されている。
【００１１】
より好ましくは、ファイバピッグテールが、パネルの前方面に１つまたはそれより多くの巻を形成するように曲げられている。
【００１２】
より好ましくは、ファイバターミナルボックスが壁の中に取り付けられると、ファイバターミナルボックスの前方カバーの外側面は、壁の外側面と同一平面にある、あるいは壁の外側面を超えて僅かに突出する。
【００１３】
本発明のファイバターミナルボックスは、ケースによって壁に埋め込まれることができるため、ファイバターミナルボックスは、容易に取り付けられ、かつ他の家庭用パネルと調和することができる。加えて、アダプタおよびファイバ接続要素のようなファイバ機器はすべて、パネルの前方面に取り付けられるため、ファイバの管理は、従来技術よりもより容易になる。
【図面の簡単な説明】
【００１４】
【図１】図１は、本発明の実施形態に基づくファイバターミナルボックスの斜視分解概略図である。
【図２】図２は、ファイバの経路を示す、図１に図示したファイバターミナルボックスのパネルの正面図である。
【図３】図３は、ファイバピッグテールがアダプタの端子に接続されている状態を示す拡大図である。
【発明を実施するための形態】
【００１５】
発明の好ましい実施形態の詳細な説明
本開示の典型的な実施形態を、添付の図面を参照して本明細書の以下で詳細に説明し、その図面において、同様の参照場号は同様の要素を意味する。しかしながら、本開示は、多くの異なる形態で具体化されてよく、本明細書にて説明される実施形態に限定されるように解釈されるべきではなく；むしろ、これらの実施形態は、本開示が詳細かつ完全となるように、ならびに当業者に本開示の概念を十分に伝えるように提供される。
【００１６】
図１〜図３は、本発明のファイバターミナルボックスの実施形態を示す。特に、図１は、本発明の１つの実施形態に基づくファイバターミナルボックスの斜視分解概略図であり；図２は、図１に図示したファイバターミナルボックスのパネルの正面図であり、ファイバの経路を示し；ならびに図３は、ファイバピッグテールがアダプタの端子に接続されている状態を示す拡大図である。
【００１７】
図１に図示するように、この実施形態において、ファイバターミナルボックスは、パネル１、前方カバー２、後方カバー３および壁５に埋め込まれるように構成されたケース４を有して成る。パネル１は、前方面および後方面を有する。前方カバー２は、パネル１の前方面を覆うように用いられる。後方カバー３は、パネル１の後方面を覆うように用いられる。後方カバー３は、必ずしも必要ではなく、省略されてもよいことに留意すべきである。
【００１８】
特に、図１−図２を参照して、アダプタ６およびファイバ接続要素７は、双方ともパネル１の前方面に取り付けられる。パネル１は、ケース４に収容され得、ケース４と一緒に壁５に埋め込まれることができる。
【００１９】
１つの特定の実施形態において、図２に図示するように、パネル１には、光ケーブル差込穴９が設けられている。光ケーブル１５の引込端部は、光ケーブル差込穴９を通ってパネル１の後方面からパネル１の前方面に導かれ、ファイバ接続要素７の一方の端部に接続される。
【００２０】
１つの特定の実施形態において、図２および図３に図示するように、パネル１には、ファイバピッグテール穴１６が更に設けられている。図３を参照して、ファイバピッグテール１７の一方の端部は、アダプタ６の端子に接続され、かつファイバピッグテール１７の他方の端部は、ファイバピッグテール穴１６を通ってパネル１の後方面からパネル１の前方面に導かれ、ファイバ接続要素７の他方の端部に接続される。
【００２１】
１つの好ましい実施例に基づいて、アダプタ６およびファイバピッグテール１７は、双方とも現場で取り付けられる代わりに、あらかじめパネル１に取り付けられていてよい。その結果、ファイバターミナルボックスの取り付けの効率性および利便性を大いに向上させることができる。
【００２２】
より特に、図１に図示するように、パネル１には、２つの取付穴１１が設けられている。ケース４は、２つの突出取付ピラー１２を有するように形成されている。２つのネジ１０は、パネル１の取付穴１１を通って差し込まれ、ケース４の突出取付ピラー１２に取り付けられる。このようにして、パネル１は、ケース４に取り付けられてよい。本発明において、パネル１およびケース４は、ネジによって接続されるが、しかしながら、本発明はこれに限定されず、それらは、スナップ嵌めの方法にて、あるいは留め具によるような、他の接続手段によって、接続されることができることに留意すべきである。
【００２３】
１つの好ましい実施形態において、図１を参照して、後方カバー３は、そこに突出係合部分１４を有するように形成される。パネル１の後方面は、外側へ延在して突出部１３を形成する。突出部１３は、突出係合部分１４に対応する凹型係合部分２０を形成するように構成される。突出係合部分１４が凹型係合部分２０と係合すると、後方カバー３は、パネル１と係合するようになる。本発明はこれに限定されず、後方カバー３は、ネジまたはリベットによるような他の方法でパネルと係合してもよいことに留意すべきである。
【００２４】
更に、図２に図示するように、ファイバ接続要素７は：ヒュージョンスプライサまたはメカニカルスプライサ１８；およびヒュージョンスプライサまたはメカニカルスプライサ１８を固定するための取付具１９を包含する。
【００２５】
更に、光ケーブル留め具８は、光ケーブル１５をパネル１の前方面にしっかりと留めるように、パネル１の前方面に提供されている。
【００２６】
更に、ファイバピッグテール１７は、所定の長さのたるんだまたは余剰なファイバを形成するように、パネル１の前方面に１つまたはそれより多くの巻を形成するように曲げられ、それは一方で、作業の間、ファイバピッグテールを過度に伸張させられることから保護することができ、それによって、ファイバターミナルボックスのその後の設置作業を容易にする。
【００２７】
１つの典型的な実施形態において、ファイバターミナルボックスは、ケース４と一緒に壁５の中に取り付けられると、ファイバターミナルボックスの前方カバー２の外側面は、壁５の外側面と同一平面にある、あるいは壁５の外側面を超えて僅かに突出する。このようにして、電源用パネルおよびネットワーク用パネルのような住宅内の他のパネルと良好に調和することができる。
【００２８】
複数の実施形態を図示し説明してきたが、これらの実施形態に、本開示の原理および精神、特許請求の範囲に規定される範囲ならびにそれらと同等のものから逸脱することなく、種々の変化または変更がなされてもよいことが、当業者に理解されるであろう。
【図１】
0005460724.tif 000002
【図２】
0005460724.tif 000003
【図３】
0005460724.tif 000004